(57)【要約】【課題】廃棄の際にそのままの状態で廃棄してもよく、また廃棄物処理施設等で分別処理しなくても、その場で簡単に分別して廃棄することもでき、さらに軽量化されたものとし、しかも自然の風合いを感じさせ、心を和ませるようにした支柱を提供する。【解決手段】合成樹脂管１内に、この合成樹脂管１の内周面１ａに角部２ａが接するようにして木製角材２を挿入し、合成樹脂管１の上端部に合成樹脂製の栓体３を被着し、合成樹脂管１の下端部に合成樹脂製の栓体４を被着したものとしている。【選択図】 図１
2008121257.tif 000002
【特許請求の範囲】
【請求項１】
合成樹脂管（１）内に、この合成樹脂管（１）の内周面（１ａ）に角部（２ａ）が接するようにして木製角材（２）を挿入し、合成樹脂管（１）の上端部に合成樹脂製の栓体（３）を被着し、合成樹脂管（１）の下端部に合成樹脂製の栓体（４）を被着したことを特徴とする支柱。
【請求項２】
前記合成樹脂管（１）の外周面（１ｂ）に天然竹の模様を形成したことを特徴とする請求項１記載の支柱。
【請求項３】
前記合成樹脂管（１）と木製角材（２）とを複数本に分割したものとし、これら複数本の合成樹脂管（１）どうしを合成樹脂製のジョイント部材（５）により連結したことを特徴とする請求項１または２記載の支柱。
【請求項４】
前記ジョイント部材（５）を、連結する一方の合成樹脂管（１）の内周面（１ａ）に内接する外径とした挿入部（６ａ）を有し、前記一方の合成樹脂管（１）の端縁（１ｃ）に係止するフランジ（６ｂ）を有した連結管体（６）と、この連結管体（６）の内周面（６ｃ）に内接する外径とした挿入部（７ａ）を有し、連結する他方の合成樹脂管（１）の内周面（１ａ）に内接する外径とした挿入部（７ｂ）を有し、これら挿入部（７ａ）と挿入部（７ｂ）の間に前記他方の合成樹脂管（１）の端縁（１ｃ）に係止するフランジ（７ｃ）を有した連結体（７）とからなるものとしたことを特徴とする請求項３記載の支柱。
【請求項５】
前記ジョイント部材（５）により連結した合成樹脂管（１）のそれぞれの端縁（１ｃ）の近辺を、合成樹脂管（１）の外周面（１ｂ）に内接する内径とした合成樹脂製被覆管体（８）で被覆したことを特徴とする請求項４記載の支柱。
【発明の詳細な説明】
【技術分野】
【０００１】
この発明は、広告宣伝用ののぼり旗の旗竿として、またのれん棒として用いられたり、農園芸などにおける植物の支持手段としても用いられたりする支柱に関するものである。
【背景技術】
【０００２】
従来、この種の支柱としては、古くは天然竹が用いられていた。天然竹は、清楚感に溢れ、素朴さと風合いの良さを兼ね備えており、地球環境に優しく、公害の発生源となることもないので、使い捨て使用するのに好ましく、各種店頭などにおける屋外広告用の旗竿に用いられている。しかし、天然竹を旗竿として使用した場合、形状が不揃いのため大量消費には向かない。また、天然竹は、日光や雨で傷むのが早いので取り替えが大変である。そのため、天然竹は、旗竿として用いられるのには余り適さないといえる。
【０００３】
そこで、この種の支柱としては、例えば図６に示したような農園芸用支柱が案出されている。この農園芸用支柱は、金属管１１の周壁面に合成樹脂被膜１２を被覆してなる支柱本体１３の両端部に密栓１４を嵌装してなり、密栓１４に支柱本体１３内と外気とが連通する通気孔１５を開設したものとしている（特許文献１）。
【０００４】
このように構成した従来の支柱は、合成樹脂被膜１２の膨れ現象が解消されるために耐久性や美観性が向上するとしている。
【０００５】
さらに、この種の支柱としては、例えば図７に示したようなものが案出されている。この支柱は、合成樹脂製栓体２１に金属管２２の外形と略等しい鍔部２３とこの鍔部２３の一端に金属管２２の内径と略等しい嵌合部２４を形成し、この嵌合部２４を金属管２２の少なくとも一端に取着し、金属管２２の外周側面２２ａから鍔部２３の外周側面２３ａにかけて合成樹脂の被覆層２５を形成し、この被覆層２５に、金属管２２の端部と栓体２１との境に沿って、環状突起２６を形成したものにしている（特許文献２）。
【０００６】
このように構成した従来の支柱は、栓体２１が抜脱することなく、栓体２１により金属管２２の内部の水密性が図られ、また環状突起２６に支えられて金属管２２の端部と栓体２１との境での曲げ強度が大きく、かつ被覆層２５の端部が破損しにくく、支柱の端部が保護されるとしている。
【特許文献１】実開昭６３−１６７８５１号公報（第１、３頁、第１図）
【特許文献２】特開平５−２６０８６５号公報（第１、４頁、図１）
【発明の開示】
【発明が解決しようとする課題】
【０００７】
上記従来の支柱は、いずれも金属管の外周面に合成樹脂の被覆層を形成しており、この合成樹脂の被覆層が金属管に密着しているので、合成樹脂の被覆層が金属管から剥離することなく、耐久性に優れたものとなり、長期間に渡って使用することができるという利点を有する。
【０００８】
一方、このような従来の支柱は、近年の資源の再利用化、ゴミの分別収集の細分化等が求められる状況下においては、廃棄の際に合成樹脂の被覆層と金属管とは簡単に分離できることが、廃棄物処理施設等での労力や経費の削減面から望ましい。
【０００９】
しかしながら、上記従来の支柱は、合成樹脂の被覆層が金属管に密着して一体化しており、廃棄の際に合成樹脂と金属とを簡単に分離することができず、そのまま廃棄される。したがって、廃棄物処理施設等で合成樹脂と金属とを分離するには、多大な労力や経費がかかるため、埋め立て処理される場合が多く、資源の再利用化を促進することができないという問題点を有していた。
【００１０】
また、上記従来の支柱は、旗竿として使用した場合も、合成樹脂の被覆層が露出しているだけであるので、色調を変化させたとしても、外観が単調で冷たい印象を受けるという問題点を有していた。
【００１１】
さらに、上記従来の支柱は、金属管を用いているため、重量がどうしても重くなるという問題点を有していた。
【００１２】
そこで、この発明は、上記従来の問題点を解決することをその課題としており、廃棄の際にそのままの状態で廃棄してもよく、また廃棄物処理施設等で分別処理しなくても、その場で簡単に分別して廃棄することもでき、さらに軽量化されたものとし、しかも自然の風合いを感じさせ、心を和ませるようにした支柱を提供することを目的としてなされたものである。
【課題を解決するための手段】
【００１３】
そのため、この発明の支柱は、合成樹脂管１内に、この合成樹脂管１の内周面１ａに角部２ａが接するようにして木製角材２を挿入し、合成樹脂管１の上端部に合成樹脂製の栓体３を被着し、合成樹脂管１の下端部に合成樹脂製の栓体４を被着したものとしている。
【００１４】
さらに、この発明の支柱は、前記合成樹脂管１の外周面１ｂに天然竹の模様を形成したものとしている。
【００１５】
また、この発明の支柱は、前記合成樹脂管１と木製角材２とを複数本に分割したものとし、これら複数本の合成樹脂管１どうしを合成樹脂製のジョイント部材５により連結したものとしている。
【００１６】
さらに、この発明の支柱は、前記ジョイント部材５を、連結する一方の合成樹脂管１の内周面１ａに内接する外径とした挿入部６ａを有し、前記一方の合成樹脂管１の端縁１ｃに係止するフランジ６ｂを有した連結管体６と、この連結管体６の内周面６ｃに内接する外径とした挿入部７ａを有し、連結する他方の合成樹脂管１の内周面１ａに内接する外径とした挿入部７ｂを有し、これら挿入部７ａと挿入部７ｂの間に前記他方の合成樹脂管１の端縁１ｃに係止するフランジ７ｃを有した連結体７とからなるものとしている。
【００１７】
また、この発明の支柱は、前記ジョイント部材５により連結した合成樹脂管１のそれぞれの端縁１ｃの近辺を、合成樹脂管１の外周面１ｂに内接する内径とした合成樹脂製被覆管体８で被覆したものとしている。
【発明の効果】
【００１８】
この発明の支柱は、以上に述べたように構成されており、金属部分を有していないので廃棄の際にそのままの状態で廃棄してもよく、その場で合成樹脂と木材に簡単に分別して廃棄すれば、資源の再利用化に適したものとなる。さらに、この発明の支柱は、金属部分を有していないので軽量化されたものとなり、運搬するのが楽になったり、取扱い易いものなる。また、この発明の支柱は、合成樹脂管の外周面に天然竹の模様を形成したものでは、自然の風合い感じさせ、心を和ませるものとなる。
【発明を実施するための最良の形態】
【００１９】
以下、この発明の支柱を実施するための最良の形態について、図面に基づき詳細に説明する。
【００２０】
この発明の支柱は、図１〜５に示したように、主として合成樹脂管１と木製角材２よりなる。この木製角材２は、前記合成樹脂管１の内周面１ａに角部２ａが接するようにして、この合成樹脂管１内に挿入している。そして、前記合成樹脂管１の上端部には、合成樹脂製の栓体３を被着し、前記合成樹脂管１の下端部には、合成樹脂製の栓体４を被着している。
【００２１】
合成樹脂管１は、任意の太さのものを使用することができるが、旗竿として用いる場合には外径が約１８〜２２ｍｍ、内径が約１６〜２０ｍｍの丸管とするのが好ましく、外周面１ｂに天然竹の模様を形成したりして、天然竹に似せたものとするのが、天然竹のように清楚感に溢れ、素朴さと風合いの良さを兼ね備えたものとなり好ましい。
【００２２】
木製角材２は、三角や四角など各種の角材とすることができるが、四角の角材とすれば加工もし易く、四つの角部２ａを合成樹脂管１の内周面１ａに接することができ、この合成樹脂管１内に安定した状態で挿入しておくことができる。なお、前記木製角材２は、四角の角材とした場合、前記合成樹脂管１の内径が約１６〜２０ｍｍであれば、約１１〜１４ｍｍ角の角材２とすることができ、このような角材は廃材などを加工したものを利用することができるので、安価に入手することができるものとなる。
【００２３】
そして、この発明の支柱は、前記合成樹脂管１と木製角材２とを複数本に分割したものとし、これら複数本の合成樹脂管１どうしを合成樹脂製のジョイント部材５により連結したものとすることができる。この発明の支柱が、２．０〜３．０ｍを超える程度の長さになると、運搬や保管するのに嵩張るので、合成樹脂管１と木製角材２をそれぞれ二分割にしたり、三分割にしたものとするのが好ましい。
【００２４】
ジョイント部材５は、連結する一方の合成樹脂管１の内周面１ａに内接する外径とした挿入部６ａを有し、前記一方の合成樹脂管１の端縁１ｃに係止するフランジ６ｂを有した連結管体６と、この連結管体６の内周面６ｃに内接する外径とした挿入部７ａを有し、連結する他方の合成樹脂管１の内周面１ａに内接する外径とした挿入部７ｂを有し、これら挿入部７ａと挿入部７ｂの間に前記他方の合成樹脂管１の端縁１ｃに係止するフランジ７ｃを有した連結体７とからなるものとしている。なお、連結管体６の挿入部６ａ、連結体７の挿入部７ａおよび挿入部７ｂの長さは、それぞれ合成樹脂管１の長さの約１／１０〜１／２０とするのが、合成樹脂管１どうしを安定した状態で連結しておけるものとなる。
【００２５】
さらに、この発明の支柱は、前記ジョイント部材５により連結した合成樹脂管１のそれぞれの端縁１ｃの近辺を、合成樹脂管１の外周面１ｂに内接する内径とした合成樹脂製の被覆管体８で被覆したものとしている。この被覆管体８は、合成樹脂管１の外径よりも少し小さい内径を有する弾性合成樹脂からなるものとするのが、前記合成樹脂管１のそれぞれの端縁１ｃの近辺に被覆した場合、その近辺にフィットしてずれ難いものとなり好ましい。
【００２６】
また、この発明の支柱を旗竿に用いる場合には、合成樹脂管１の上端に被着した栓体３は、図３に示したように、上部突出部３１と下部挿入部３２からなるものとしている。この上部突出部３１には、押え体３１ａが螺着されており、この押え体３１ａをねじ込むことにより、上部突出部３１の支持孔３３に挿入された旗の支持棒（図示せず）を押圧して支持するようにしている。また、下部挿入部３２は、カラー３４を介在させて合成樹脂管１内に遊嵌したものとしている。このようにすると、前記支持棒が支持孔３３に支持された状態で旗に風が当たると、合成樹脂管１内に遊嵌した下部挿入部３２がその風向きに応じて回るので、支持棒も一緒に回ることになり、旗が各方向から見えるものとなって広告宣伝効果に優れたものとなる。
【００２７】
さらに、前記合成樹脂管１の下端部に被着する栓体４は、図５に示したように、合成樹脂管１の外周面１ｂに単に嵌め込まれるようにしたり、合成樹脂管１内に嵌合するようにした嵌合部（図示せず）を有したものなどにすることができる。
【００２８】
以上のように構成したこの発明の支柱は、屋外広告用の旗竿として、または農園芸における植物の支持手段として使用した場合には、金属部分を有していないので軽量化されたものとなり、運搬するのが楽になったり、取扱い易いものとなる。そして、このようにして使用した場合に、合成樹脂管１の外周面１ｂに天然竹の模様を形成したものでは、自然の風合い感じさせ、心を和ませるものとなる。また、屋外広告用の旗竿として使用した場合には、合成樹脂管１内に木製角材２を挿入したことにより、合成樹脂管１の弾性と木製角材２の弾性が組み合わさって、風が吹くと天然竹と同じように撓って、より宣伝広告効果が得られるものとなる。
【００２９】
また、この発明の支柱は、前記旗竿や支持手段として、長年、使用した結果、傷んでしまった場合には、金属部分を有していないので廃棄の際にそのままの状態で廃棄することもできるが、その場で合成樹脂管１から栓体３、４を外し、さらに複数本の合成樹脂管１を連結したものでは、ジョイント部材５や被覆管体８も外せば、合成樹脂管１から木製角材２を引き抜くことができる。
【００３０】
そして、このようにした複数本の合成樹脂管１、栓体３、４、ジョイント部材５、および被覆管体８を一纏めにし、また複数本の木製角材２を別にして纏めておけば、合成樹脂と木材とに分離して廃棄することができるので、合成樹脂と木材を分別収拾することができるものとなり、廃棄物処理施設等で合成樹脂と木材とに分離しなくても済むので、資源の再利用化に適したものとなる。
【図面の簡単な説明】
【００３１】
【図１】この発明の支柱の一部省略斜視図である。
【図２】この発明の支柱の合成樹脂管内に挿入する部材の分解斜視図である。
【図３】この発明の支柱の上部近辺の一部切欠断面図である。
【図４】この発明の支柱の中央部近辺の断面図である。
【図５】この発明の支柱の下部近辺の断面図である。
【図６】従来の支柱の一例を示す断面図である。
【図７】従来の支柱の他の例を示す一部切欠断面図である。
【符号の説明】
【００３２】
１  合成樹脂管
１ａ  内周面
１ｂ  外周面
１ｃ  端縁
２  木製角材
２ａ  角部
３  栓体
４  栓体
５  ジョイント部材
６  連結管体
６ａ  挿入部
６ｂ  フランジ部
６ｃ  内周面
７  連結体
７ａ  挿入部
７ｂ  挿入部
７ｃ  フランジ部
８  被覆管体
【図１】
2008121257.tif 000003
【図２】
2008121257.tif 000004
【図３】
2008121257.tif 000005
【図４】
2008121257.tif 000006
【図５】
2008121257.tif 000007
【図６】
2008121257.tif 000008
【図７】
2008121257.tif 000009